(57)【要約】【課題】家具の底面に凹部を加工することなく、使用者等が自分で簡単に取り付けることができる家具用支持足を提供することである。【解決手段】内径面に雌ねじが切られた筒部１ａを有し、筒部１ａの上端側に天板部１ｂを設けた雌ねじ部材１と、雌ねじ部材１の雌ねじに螺合する雄ねじが外径面に切られた軸部２ａを有し、軸部２ａの下端側に床面２１へ接地される接地部２ｂを設けた雄ねじ部材２とで構成し、雌ねじ部材１の天板部１ａを、テーブルの脚２２の平坦な底面に沿わせてねじ釘３で取り付けることにより、脚２２の底面を加工することなく、使用者等が自分で簡単に取り付けることができるようにした。【選択図】図１
2009000251.tif 000002
【特許請求の範囲】
【請求項１】
内径面に雌ねじが切られた筒部を有し、この筒部の上端側に天板部を設けた雌ねじ部材と、この雌ねじ部材の雌ねじに螺合する雄ねじが外径面に切られた軸部を有し、この軸部の下端側に床面へ接地される接地部を設けた雄ねじ部材とから成り、前記雌ねじ部材の天板部を家具の平坦な底面に沿わせて取り付けるようにした家具用支持足。
【請求項２】
前記天板部を釘またはねじ釘で前記家具の底面に取り付けるようにした請求項１に記載の家具用支持足。
【請求項３】
前記天板部を接着剤で前記家具の底面に取り付けるようにした請求項１に記載の家具用支持足。
【請求項４】
前記雄ねじ部材の接地部を前記軸部と異なる素材で形成した請求項１乃至３のいずれかに記載の家具用支持足。
【請求項５】
前記雄ねじ部材の接地部を前記軸部と別体で形成し、前記軸部と着脱可能とした請求項１乃至４のいずれかに記載の家具用支持足。
【発明の詳細な説明】
【技術分野】
【０００１】
本発明は、テーブルや椅子等の家具の脚の底面や、タンスや本棚等の家具のコーナ部の底面に取り付けられる家具用支持足に関する。
【背景技術】
【０００２】
テーブルや椅子等の脚の底面や、タンスや本棚等のコーナ部の底面に取り付けられる家具用支持足には、これらの家具の底面に埋設されたナット等の雌ねじ部材に、外径面に雄ねじが切られた軸部を有し、軸部の下端側に床面へ接地される接地部を設けた雄ねじ部材を螺合させ、家具の高さや傾きを調整できるようにしたものがある（例えば、特許文献１、２参照）。通常、雄ねじ部材の接地部は、床面との接地面積を拡げて接地圧力を低減するために、軸部よりも拡径されている。
【０００３】
特許文献１に記載されたものでは、雄ねじ部材の軸部を六角ボルト、接地部を上面に六角ボルトの頭部が嵌合される六角穴を形成した別体の台座とし、台座を交換可能としている。また、特許文献２に記載されたものでは、プラスチックで形成した雄ねじ部材の接地部を、金属で形成した軸部と分離可能とし、廃棄される雄ねじ部材を分別回収できるようにしている。
【０００４】
【特許文献１】特開平７−２４３４２１号公報
【特許文献２】特開２００１−１２０３７５号公報
【発明の開示】
【発明が解決しようとする課題】
【０００５】
特許文献１、２に記載された従来の家具用支持足は、ナット等の雌ねじ部材を家具の底面に埋設するために、家具の平坦な底面に凹部を加工する必要があり、新規に購入した家具や使用中の家具に、使用者等が自分で取り付けることが困難な問題がある。
【０００６】
そこで、本発明の課題は、家具の底面に凹部を加工することなく、使用者等が自分で簡単に取り付けることができる家具用支持足を提供することである。
【課題を解決するための手段】
【０００７】
上記の課題を解決するために、本発明の家具用支持足は、内径面に雌ねじが切られた筒部を有し、この筒部の上端側に天板部を設けた雌ねじ部材と、この雌ねじ部材の雌ねじに螺合する雄ねじが外径面に切られた軸部を有し、この軸部の下端側に床面へ接地される接地部を設けた雄ねじ部材とから成り、前記雌ねじ部材の天板部を家具の平坦な底面に沿わせて取り付ける構成を採用した。
【０００８】
すなわち、雌ねじ部材の内径面に雌ねじが切られた筒部の上端側に天板部を設け、この天板部を家具の平坦な底面に沿わせて取り付けることにより、家具の底面に凹部を加工することなく、使用者等が自分で簡単に取り付けることができるようにした。また、この家具用支持足は、雌ねじ部材を家具の底面に埋設しないので、テーブルや椅子等の脚のように面積の狭い家具の底面に取り付けるときに、雌ねじが切られた筒部の外径を大きくすることができ、筒部に螺合される雄ねじ部材の軸部を太くて強度の高いものとすることができるとともに、接地部を軸部より拡径しなくても、その接地面積を広くして、接地面圧を低減することができる。
【０００９】
前記天板部は、釘またはねじ釘で前記家具の底面に簡単に取り付けることができる。
【００１０】
前記天板部は、接着剤でも前記家具の底面に簡単に取り付けることができる。
【００１１】
前記雄ねじ部材の接地部を前記軸部と異なる素材で形成することにより、接地される床面に適した素材で接地部を形成することができる。例えば、軸部を金属で形成し、接地部をプラスチック、ゴム、フェルト等で形成したり、軸部をプラスチックで形成し、接地部をゴム、フェルト等で形成したりすることができる。
【００１２】
前記雄ねじ部材の接地部を前記軸部と別体で形成し、前記軸部と着脱可能とすることにより、接地圧力や床面の種類に応じて、接地面積や接地特性の異なるものと交換することができる。
【発明の効果】
【００１３】
本発明の家具用支持足は、雌ねじ部材の内径面に雌ねじが切られた筒部の上端側に天板部を設け、この天板部を家具の平坦な底面に沿わせて取り付けるようにしたので、家具の底面に凹部を加工することなく、使用者等が自分で簡単に取り付けることができる。また、この家具用支持足は、雌ねじ部材を家具の底面に埋設しないので、テーブルや椅子等の脚のように面積の狭い家具の底面に取り付けるときに、雌ねじが切られた筒部の外径を大きくすることができ、筒部に螺合される雄ねじ部材の軸部を太くて強度の高いものとすることができるとともに、接地部を軸部より拡径しなくても、その接地面積を広くして、接地面圧を低減することができる。
【００１４】
前記雄ねじ部材の接地部を軸部と異なる素材で形成することにより、接地される床面に適した素材で接地部を形成することができる。
【００１５】
前記雄ねじ部材の接地部を軸部と別体で形成し、軸部と着脱可能とすることにより、接地圧力や床面の種類に応じて、接地面積や接地特性の異なるものと交換することができる。
【発明を実施するための最良の形態】
【００１６】
以下、図面に基づき、この発明の実施形態を説明する。図１は、第１の実施形態を示す。この家具用支持足は、図１（ａ）に示すように、内径面に雌ねじが切られた筒部１ａを有し、筒部１ａの上端側に天板部１ｂを設けた雌ねじ部材１と、雌ねじ部材１の筒部１ａの雌ねじに螺合する雄ねじが外径面に切られた軸部２ａを有し、軸部２ａの下端側に床面２１へ接地される接地部２ｂを設けた雄ねじ部材２とから成り、雌ねじ部材１の天板部１ｂが、テーブルの脚２２の平坦な底面に沿わせて、ねじ釘３で取り付けられている。
【００１７】
前記雌ねじ部材１はプラスチックで形成され、筒部１ａの外径はテーブルの脚２２の外径とほぼ等寸とされている。なお、ねじ釘３は、プラスチックで形成された天板部１ｂに孔を開けながら脚２２の底面にねじ込まれる。予め、天板部１ｂにねじ釘３用の孔を開けておいてもよい。
【００１８】
前記雄ねじ部材２の軸部２ａはプラスチックで形成され、接地部２ｂはゴムで形成されて、軸部２ａの下端に加硫接着されており、フローリング等の床面２１を滑らず、かつ傷付けないようになっている。また、図１（ｂ）に示すように、接地部２ｂは軸部２ａの外径が内接する矩形断面とされ、雌ねじ部材１の筒部１ａに螺合された雄ねじ部材２を、容易に回転できるようになっている。
【００１９】
図２は、第２の実施形態を示す。この家具用支持足は、基本的な構成は第１の実施形態のものと同じであり、前記雌ねじ部材１の天板部１ｂが椅子の脚２３の平坦な底面にねじ釘３で取り付けられ、雄ねじ部材２の接地部２ｂが軸部２ａと一体にプラスチックで形成されて、軸部２ａと等径の円柱状とされた外周面に、雄ねじ部材２を容易に回転できるように、ローレット掛け４が施されている点が異なる。その他の部分は第１の実施形態のものと同じであり、雌ねじ部材１はプラスチックで形成されている。
【００２０】
図３（ａ）、（ｂ）は、第３の実施形態を示す。この家具用支持足も、基本的な構成は第１の実施形態のものと同じであり、前記雌ねじ部材１の天板部１ｂがタンス２４のコーナ部の平坦な底面に接着剤５で取り付けられ、雄ねじ部材２の接地部２ｂが、軸部２ａの下端に拡径するようにプラスチックで一体に形成された矩形断面の台部６の下面にフェルト７を接着したものとされ、畳等の床面２１を傷付けないようになっている点が異なる。その他の部分は第１の実施形態のものと同じであり、雌ねじ部材１はプラスチックで形成されている。
【００２１】
図４は、第４の実施形態を示す。この家具用支持足も、基本的な構成は第１の実施形態のものと同じであり、前記雌ねじ部材１の天板部１ｂが本棚２５のコーナ部の平坦な底面に複数のねじ釘３で取り付けられ、雄ねじ部材２の接地部２ｂが、軸部２ａよりも太い円柱状で上面の凹部８の内径面に雌ねじが切られた別体のプラスチックで形成され、雄ねじが切られた軸部２ａの下端部に着脱可能に螺着されている点が異なる。この実施形態では、重量のある本棚２５を支持するために、雌ねじ部材１と雄ねじ部材２の軸部２ａが金属で形成されている。また、雌ねじ部材１の天板部１ｂには、各ねじ釘３を通す複数の孔が予め開けられ、接地部２ｂの外周面にはローレット掛け４が施されている。その他の部分は、第１の実施形態のものと同じである。
【図面の簡単な説明】
【００２２】
【図１】ａは第１の実施形態の家具用支持足を示す切欠き縦断面図、ｂはａのIb−Ib線に沿った断面図
【図２】第２の実施形態の家具用支持足を示す切欠き縦断面図
【図３】ａは第３の実施形態の家具用支持足を示す切欠き縦断面図、ｂはａのIIIb−IIIb線に沿った断面図
【図４】第４の実施形態の家具用支持足を示す切欠き縦断面図
【符号の説明】
【００２３】
１  雌ねじ部材
１ａ  筒部
１ｂ  天板部
２  雄ねじ部材
２ａ  軸部
２ｂ  接地部
３  ねじ釘
４  ローレット掛け
５  接着剤
６  台部
７  フェルト
８  凹部
２１  床面
２２、２３  脚
２４  タンス
２５  本棚
【図１】
2009000251.tif 000003
【図２】
2009000251.tif 000004
【図３】
2009000251.tif 000005
【図４】
2009000251.tif 000006